(57)【要約】【課題】交通集中型の渋滞の発生を、当該渋滞の発生の要因と共に提示する「ナビゲーション装置及び交通情報提示方法」を提供する。【解決手段】自動車を搭載されたナビゲーション装置１は、地図データを蓄積したナビゲーションサービスサーバ３に対して現在位置と目的地を通知する。ナビゲーションサービスサーバ３は、通知された現在位置から目的地までの誘導経路を探索し、ナビゲーション装置１に送信し、ナビゲーション装置１は送信された誘導経路に沿った経路誘導を行う。ナビゲーションサービスサーバ３は、ＶＩＣＳセンタ５から取得した渋滞情報が示す渋滞区間上に現在位置が存在するナビゲーション装置１の集合内における、渋滞区間先頭位置の近傍の施設を目的地とするナビゲーション装置１の存在比率が高い場合に、当該施設を渋滞要因施設として、渋滞情報と共に各ナビゲーション装置１に通知する。【選択図】図１
2005156388.tif 000002
【特許請求の範囲】
【請求項１】
現在位置と目的地との間に設定された誘導経路に沿った走行を誘導する、複数の各々自動車に搭載されたナビゲーション装置と、前記複数のナビゲーション装置と通信を行うサーバ装置とを含むナビゲーションシステムであって、
前記サーバ装置は、
前記各ナビゲーション装置の前記現在位置と前記目的地とを収集する車両情報収集手段と、
渋滞の発生と渋滞が発生している区間とを示す渋滞情報を取得する渋滞情報取得手段と、
前記渋滞情報が発生を示す渋滞の要因となっている施設を渋滞要因施設として推定する渋滞要因施設推定手段と、
前記渋滞情報を、推定した渋滞要因施設に関する情報と共に各ナビゲーション装置に配信する渋滞情報配信手段とを有し、
前記ナビゲーション装置は、
前記サーバ装置から配信された渋滞情報を、当該渋滞情報と共に配信された前記渋滞要因施設に関する情報と共に提示する渋滞情報提示手段を有し、
前記サーバ装置の渋滞要因施設推定手段は、少なくとも前記渋滞情報が示す渋滞区間の周辺に現在位置がある各ナビゲーション装置の目的地が、特定の地点近傍に集中している場合に、当該特定の地点近傍の施設を前記渋滞要因施設として推定することを特徴とするナビゲーションシステム。
【請求項２】
請求項１記載のナビゲーションシステムであって、
前記サーバ装置の渋滞要因施設推定手段は、前記渋滞情報が示す渋滞区間上に現在位置がある各ナビゲーション装置の目的地が、特定の地点近傍に集中している場合に、当該特定の地点近傍の施設を前記渋滞要因施設として推定することを特徴とするナビゲーションシステム。
【請求項３】
請求項１記載のナビゲーションシステムであって、
前記サーバ装置の渋滞要因施設推定手段は、前記渋滞情報が示す渋滞区間上に現在位置がある各ナビゲーション装置の目的地が、渋滞先頭地点近傍の特定の地点近傍に集中している場合に、当該特定の地点近傍の施設を前記渋滞要因施設として推定することを特徴とするナビゲーションシステム。
【請求項４】
請求項１、２または３記載のナビゲーションシステムであって、
前記サーバ装置は、前記各ナビゲーション装置について、当該ナビゲーション装置の前記現在位置から前記目的地までの経路を探索して、当該ナビゲーション装置に対して前記誘導経路として設定する誘導経路設定手段を有することを特徴とするナビゲーション装置。
【請求項５】
請求項１、２、３または４記載のナビゲーションシステムであって、
前記ナビゲーション装置は、自車に設置されている誘導経路と前記配信された渋滞情報が示す渋滞区間に重複する部分がある場合に、当該渋滞区間を回避する経路を選択するようにユーザを誘導する渋滞回避誘導手段を有することを特徴とするナビゲーション装置。
【請求項６】
請求項１、２、３または４記載のナビゲーションシステムであって、
前記サーバ装置は、
誘導経路と渋滞情報が示す渋滞区間に重複する部分があるナビゲーション装置について、当該ナビゲーション装置のユーザを、当該渋滞区間を回避する経路を選択するように誘導する渋滞回避誘導手段を有することを特徴とするナビゲーション装置。
【請求項７】
請求項１、２、３、４、５または６記載のナビゲーションシステムであって、
前記ナビゲーション装置の渋滞情報提示手段は、
前記配信された渋滞情報が示す渋滞区間の周辺に現在位置がある場合に、渋滞の発生を、前記渋滞要因施設に関する情報と共に提示することを特徴とするナビゲーションシステム。
【請求項８】
請求項１、２、３、４、５または６記載のナビゲーションシステムであって、
前記ナビゲーション装置の渋滞情報提示手段は、自車に設定されている前記誘導経路と前記配信された渋滞情報が示す渋滞区間とに重複する区間がある場合に、渋滞の発生を、前記渋滞要因施設に関する情報と共に提示することを特徴とするナビゲーションシステム。
【請求項９】
請求項１、２、３、４、５または６記載のナビゲーションシステムであって、
前記ナビゲーション装置の渋滞情報提示手段は、地図と前記配信された渋滞情報が示す渋滞区間を前記地図上で表す渋滞区間図形とを含む画像を表示すると共に、前記渋滞区間図形に対応づけた形態で、前記渋滞要因施設に関する情報を表示することを特徴とするナビゲーションシステム。
【請求項１０】
現在位置と目的地との間に設定された誘導経路に沿った走行を誘導する、複数の各々自動車に搭載されたナビゲーション装置と、前記複数のナビゲーション装置と通信を行うサーバ装置とを含むナビゲーションシステムにおいて前記ナビゲーション装置のユーザに交通情報を提示する交通情報提示方法であって、
前記サーバ装置において、前記各ナビゲーション装置の前記現在位置と目的地とを収集するステップと、
前記サーバ装置において、渋滞の発生と渋滞が発生している区間とを示す渋滞情報を取得するステップと、
前記サーバ装置において、少なくとも前記渋滞情報が示す渋滞区間の周辺に現在位置がある各ナビゲーション装置の目的地が、特定の地点近傍に集中している場合に、当該特定の地点近傍の施設を前記渋滞要因施設として推定するステップと、
前記サーバ装置において、前記渋滞情報を、推定した渋滞要因施設に関する情報と共に各ナビゲーション装置に配信するステップと、
前記ナビゲーション装置はにおいて、前記サーバ装置から配信された渋滞情報を、当該渋滞情報と共に配信された前記渋滞要因施設に関する情報と共に提示するステップとを有することを特徴とする交通情報提示方法。
【発明の詳細な説明】
【技術分野】
【０００１】
本発明は、自動車に搭乗したユーザに対する経路案内を行うナビゲーションシステムにおいて、交通情報を提示する技術に関するものである。
【背景技術】
【０００２】
自動車に搭乗したユーザに対する経路案内を行うナビゲーションシステムに関する技術としては、自動車に搭載されたナビゲーション装置と当該ナビゲーション装置と無線通信を介して通信を行うサーバとからナビゲーションシステムを構成し、ナビゲーション装置から、サーバに現在位置と目的地とを送信し、サーバにおいて地図データを用いてナビゲーション装置から受信した現在位置から目的地までの経路を探索し、探索した経路の通知と決定した経路の経路案内を行うための地図データの送付をナビゲーション装置に対して行い、ナビゲーション装置において送付された地図データと通知された経路に従い、ユーザに対する経路案内を行う技術が知られている（たとえば、特許文献１）。
【０００３】
また、ナビゲーションシステムにおいて交通情報を提示する技術としては、自動車に搭載されたナビゲーション装置において、ＶＩＣＳ（Vehicle Information and Communication System）による交通情報を受信し、受信した交通情報を表示する技術が知られている。また、ナビゲーション装置と無線通信を介して通信を行う情報センタを設け、情報センタにおいて過去の渋滞発生の履歴より、現在の渋滞発生の有無を予測して、予測結果をナビゲーション装置に送信し、ナビゲーション装置において渋滞発生の予測結果を表示する技術も知られている（たとえば、特許文献２）。
【０００４】
この出願の発明に関連する先行技術文献情報としては以下のものがある。
【特許文献１】特開平１１−１５３４４３号公報
【特許文献２】特開２００２−３６５０７４号公報
【発明の開示】
【発明が解決しようとする課題】
【０００５】
前記交通情報を自動車に搭乗したユーザに対して提示する技術によれば、事故や道路工事などによらず発生した交通集中型の渋滞が、テーマパークやショッピングセンタなどの特定の施設へ向かう車両の集中による渋滞であるのか、そうではなく、渋滞発生区間を通過する交通量の増加に伴い発生する通常のいわゆる自然渋滞であるのかをユーザは知ることができない。
【０００６】
一方で、このような特定の施設へ向かう車両の集中による渋滞と、いわゆる自然渋滞とでは、渋滞の様相が異なり、また、これを迂回した場合の効果や、迂回するために適したユーザの行動の態様も異なる。また、その渋滞を迂回すべきか否かの判断も、ユーザの嗜好にも伴って異なったものとなる。
【０００７】
そこで、本発明は、交通集中型の渋滞の発生を、当該渋滞の発生の要因と共に提示することを課題とする。
【課題を解決するための手段】
【０００８】
前記課題達成のために、本発明は、現在位置と目的地との間に設定された誘導経路に沿った走行を誘導する、複数の各々自動車に搭載されたナビゲーション装置と、前記複数のナビゲーション装置と通信を行うサーバ装置とを含むナビゲーションシステムにおいて、前記サーバ装置に、前記各ナビゲーション装置の前記現在位置と目的地とを収集する車両情報収集手段と、渋滞の発生と渋滞が発生している区間とを示す渋滞情報を取得する渋滞情報取得手段と、前記渋滞情報が発生を示す渋滞の要因となっている施設を渋滞要因施設として推定する渋滞要因施設推定手段と、前記渋滞情報を、推定した渋滞要因施設に関する情報と共に各ナビゲーション装置に配信する渋滞情報配信手段とを設けたものである。そして、前記ナビゲーション装置に、前記サーバ装置から配信された渋滞情報を、当該渋滞情報と共に配信された前記渋滞要因施設に関する情報と共に提示する渋滞情報提示手段を設け、前記サーバ装置の渋滞要因施設推定手段において、少なくとも前記渋滞情報が示す渋滞区間の周辺に現在位置がある各ナビゲーション装置の目的地が、特定の地点近傍に集中している場合に、当該特定の地点近傍の施設を前記渋滞要因施設として推定するようにしたものである。
【０００９】
このようなナビゲーションシステムによれば、ナビゲーション装置の現在位置と目的地とに基づいて、発生している渋滞が特定の施設へ向かう車両の集中による渋滞であるか否かと、その渋滞の要因となっている施設を高い確度をもって推定し、各ナビゲーション装置のユーザに提示することができる。
【００１０】
ここで、より具体的には、前記サーバ装置の渋滞要因施設推定手段は、前記渋滞情報が示す渋滞区間上に現在位置がある各ナビゲーション装置の目的地が、特定の地点近傍に集中している場合に、当該特定の地点近傍の施設を前記渋滞要因施設として推定するようにしてもよい。または、前記サーバ装置の渋滞要因施設推定手段は、前記渋滞情報が示す渋滞区間上に現在位置がある各ナビゲーション装置の目的地が、渋滞先頭地点近傍の特定の地点近傍に集中している場合に、当該特定の地点近傍の施設を前記渋滞要因施設として推定するようにしてもよい。
【００１１】
このようにすることにより、より高い確度で発生している渋滞が特定の施設へ向かう車両の集中による渋滞であるか否かと、その渋滞の要因となっている施設を推定することができるようになる。
なお、以上のナビゲーションシステムは、前記サーバ装置において、各ナビゲーション装置について、当該ナビゲーション装置の前記現在位置から前記目的地までの経路を探索して、当該ナビゲーション装置に前記誘導経路として設定するものであってもよい。この場合には、各ナビゲーション装置の目的地はサーバ装置において、誘導経路の探索と渋滞要因施設の推定に共用することができる。
【００１２】
また、以上のナビゲーションシステムにおいては、前記ナビゲーション装置に、自車に設置されている誘導経路と前記配信された渋滞情報が示す渋滞区間に重複する部分がある場合に、当該渋滞区間を回避する経路を選択するようにユーザを誘導する渋滞回避誘導手段を設けるようにすることも好ましい。または、前記サーバ装置に、誘導経路と渋滞情報が示す渋滞区間に重複する部分があるナビゲーション装置について、当該ナビゲーション装置のユーザを、当該渋滞区間を回避する経路を選択するように誘導する渋滞回避誘導手段を設けるようにしてもよい。
【００１３】
このようにすることにより、ユーザの渋滞の回避を支援することができると共に、渋滞の緩和を図ることができる。
なお、以上のナビゲーションシステムにおいて、前記ナビゲーション装置の渋滞情報提示手段は、前記配信された渋滞情報が示す渋滞区間の周辺に現在位置がある場合に、渋滞の発生を、前記渋滞要因施設に関する情報と共に提示するものであってもよいし、自車に設定されている前記誘導経路と前記配信された渋滞情報が示す渋滞区間とに重複する区間がある場合に、渋滞の発生を、前記渋滞要因施設に関する情報と共に提示するものであってもよい。
【００１４】
また、前記ナビゲーション装置の渋滞情報提示手段において、地図と前記配信された渋滞情報が示す渋滞区間を地図上で表す渋滞区間図形とを含む画像を表示すると共に、前記渋滞区間図形に対応づけた形態で、前記渋滞要因施設に関する情報を表示することも、ユーザの渋滞区間と、その渋滞区間の渋滞の要因となっている施設の直感的な把握を図る上で好ましい。
【発明の効果】
【００１５】
以上のように、本発明によれば、交通集中型の渋滞の発生を、当該渋滞の発生の要因と共に提示することができる。
【発明を実施するための最良の形態】
【００１６】
以下、本発明の実施形態について説明する。
図１に、本実施形態に係るナビゲーションシステムの構成を示す。
図示するようにナビゲーションシステムは、個々の車両に搭載されたナビゲーション装置１、ナビゲーション装置１が無線通信を介してアクセス可能なＷＡＮ２、ＷＡＮ２に接続したナビゲーションサービスサーバ３、ＶＩＣＳ網４を介して各地の渋滞や事故や工事や駐車場空状態などの各種交通情報を収集し各地に提供するＶＩＣＳセンタ５とより構成される。
【００１７】
ここで、本ナビゲーションシステムは、自動車を搭載されたナビゲーション装置１が、地図データを蓄積したナビゲーションサービスサーバ３と通信を行いながら必要な地図データを取得してユーザに対する経路案内を行う、いわゆる通信型のナビゲーションシステムである。
【００１８】
さて、次に、ナビゲーションサービスサーバ３は、サービス提供制御部３１、誘導経路算出サービス部３２、地図データ提供サービス部３３、目的地設定サービス部３４、ＶＩＣＳ情報提供サービス部３５、地図データを格納した地図データベース３６、各種施設についての情報を蓄積した施設管理データベース３７、ナビゲーションサービスサーバ３の各ユーザの情報を管理するユーザ管理テーブル３８とを有する。
【００１９】
また、図２に示すようにナビゲーション装置１は、制御装置１０、方位センサや角加速度センサや車速センサなどの車両の走行状態を検知する走行状態センサ１１、ＧＰＳ受信機１２（Global Positioning System Receiver）、ＷＡＮ２に接続するための無線通信装置１３、ユーザよりの入力を受け付けるリモコン１４（リモートコントローラ）、表示装置１５とを備えている。
【００２０】
また、制御装置１０は、ナビゲーションサービスサーバ３から提供された地図データやルート情報を保持する地図データメモリ１０１、地図データメモリ１０１に格納された地図データを用いたマップマッチング処理により現在位置を算出するマップマッチング処理部１０２、ナビゲート画像生成部１０３、地図データメモリ１０１の地図データ等の更新を行うデータ更新処理部１０４、主制御部１０５、ＧＵＩ制御部１０６、メモリ１０７、無線通信装置１３との間の入出力を処理する無線通信インタフェース１０８とを備えている。
【００２１】
但し、以上のナビゲーションサービスサーバ３や、制御装置１０は、ハードウエア的には、ＣＰＵや、メモリや、外部記憶装置や、通信装置等の周辺デバイスを有する一般的な構成を備えたコンピュータであって良く、この場合、以上に示した制御装置１０やナビゲーションサービスサーバ３の各部は、ＣＰＵが予め用意されたプログラムを実行することにより具現化するプロセスとして実現されるものであって良い。また、この場合、このようなプログラムは、記憶媒体や通信路を介して、制御装置１０やナビゲーションサービスサーバ３に提供されるものであって良い。
【００２２】
次に、ナビゲーションサービスサーバ３のユーザ管理テーブル３８に格納されるユーザ管理情報と、施設管理データベース３７に格納される施設管理情報とについて説明する。
図３ａにユーザ管理情報の内容を示す。
図示するように、ユーザ管理情報には、ナビゲーションサービスサーバ３のサービスの提供を受ける各ナビゲーション装置１毎のエントリを有し、各エントリには、対応するナビゲーション装置１のユーザのユーザＩＤと、対応するナビゲーション装置１の現在位置と、対応するナビゲーション装置１の目的地と、対応するナビゲーション装置１においてユーザに対する誘導を行っている経路である誘導経路のデータが格納される。ただし、目的地と誘導経路は、対応するナビゲーション装置１において、目的地までの経路の誘導を行っている場合にのみ格納される。なお、地図データでは、道路網を道路の部分を表す直線であるリンクの集合として表現しており、誘導経路も、このリンクを用いて表現されている。
【００２３】
次に、図３ｂに施設管理情報の内容を示す。
図示するように、施設管理情報には、テーマパークやアミューズメント施設やショッピングセンタや観光名所などの主要な施設毎のエントリを有し、各エントリには、対応する施設の施設ＩＤと、施設の代表的な車両入口の位置を示す施設位置と、施設の名称を示す施設名称と、付属駐車場情報と、対応する施設がその周辺地域の渋滞を頻発する要因となっている施設であるかどうかをオン／オフ（渋滞頻発の要因となっている施設の場合にオン）によって示す渋滞頻発要因フラグが格納される。そして、付属駐車場情報には、対応する施設に付属する駐車場の各々について、駐車場の識別を示す駐車場ＩＤと駐車可能台数と駐車場入口位置とが記述されている。
【００２４】
以下、このようなナビゲーションシステムの動作について説明する。
ナビゲーション装置１のユーザに対する経路誘導動作について説明する。
まず、ナビゲーション装置１において、目的地が設定されていない場合の動作について説明する。
ナビゲーション装置１の主制御部１０５は、マップマッチング処理部１０２が算出した現在位置周辺の地図データが地図データメモリ１０１に格納されているかどうかを調べ、格納されていなければ、マップマッチング処理部１０２が算出した現在位置周辺の地図データの要求を、無線通信装置１３を介して、ナビゲーションサービスサーバ３のサービス提供制御部３１に発行し、地図データの要求の応答としてナビゲーションサービスサーバ３から受け取った地図データを、データ更新処理部１０４に地図データメモリ１０１に格納させる処理を繰り返す。ただし、マップマッチング処理部１０２の現在位置の算出が、マップマッチング処理に所要の地図データが地図データメモリ１０１に格納されていないためなどに失敗した場合には、ＧＰＳ受信機１２が算出した現在位置周辺の地図データの要求を発行し、その応答として受け取った地図データをデータ更新処理部１０４に地図データメモリ１０１に格納させるようにする。
【００２５】
一方、ナビゲーションサービスサーバ３のサービス提供制御部３１は、地図データの要求をナビゲーション装置１から受け取ると、地図データ提供サービス部３３に受け取った現在位置周辺の地図データ取得を要求し、地図データ提供サービス部３３は、地図データベース３６から要求された地図データを抽出しサービス提供制御部３１に応答する。そして、サービス提供制御部３１は受け取った地図データを要求元のナビゲーション装置１に送付する。また、ナビゲーション装置１から受け取った現在位置に、そのナビゲーション装置１に対応するユーザ管理情報のエントリの現在位置を更新する。
【００２６】
さて、ナビゲーション装置１のマップマッチング処理部１０２は、地図データメモリ１０１に格納されている、前回算出した現在位置周辺の地図データに対する、走行状態センサ１１やＧＰＳ受信機１２で計測した計測位置のマップマッチング処理を行い、現在位置として最も確からしい道路上の位置を現在位置として算出する。なお、マップマッチング処理に所要の地図データが地図データメモリ１０１に格納されていない場合、その回の現在位置の算出は失敗となり、ＧＰＳ受信機１２が算出した現在位置が現在位置として代用される。また、これによりＧＰＳ受信機１２が算出した現在位置周辺の地図データが地図データメモリ１０１に格納され、格納された地図データが次回のマップマッチング処理に用いられて現在位置が算出されることになる。
【００２７】
そして、ナビゲート画像生成部１０３は、図４ａに示すような、地図データメモリ１０１に格納されている地図データが表す地図画像４０１上に、マップマッチング処理部１０２が算出した現在位置を地図画像４０１上で示す現在位置マーク４０２を表示したナビゲート画像を生成し、ＧＵＩ制御部１０６を介して表示装置１５に表示する。なお、図中の、誘導経路図形４０３は、ここでは目的地や誘導経路が設定されていないので、ナビゲート画像には含まれない。
【００２８】
次に、ナビゲーション装置１における目的地の設定及び経路誘導の動作について説明する。
リモコン１４、ＧＵＩ制御部１０６を介して、ユーザより目的地設定の要求を受け取ると、主制御部１０５は、無線通信装置１３を介して、ナビゲーションサービスサーバ３のサービス提供制御部３１にアクセスし、目的地設定サービス部３４が提供する目的地設定用の情報（たとえば、目的地候補の一覧や、ユーザ所望地域の地図データ）の送付を受け、ＧＵＩ制御部１０６を介して表示装置１５に表示し、ユーザからリモコン１４を介して、目的地の設定を受け付ける。そして、主制御部１０５は、目的地の設定を受け付けると、マップマッチング処理部１０２が算出した現在位置とユーザから受け付けた目的地をパラメータとして含めた誘導経路算出要求を、無線通信装置１３を介して、サービス提供制御部３１に発行する。
【００２９】
ナビゲーションサービスサーバ３のサービス提供制御部３１は誘導経路算出要求を受け取ると、誘導経路算出サービス部３２に、誘導経路算出要求のパラメータとして示される現在位置から目的地までの誘導経路の算出を要求する。誘導経路算出サービス部３２は、地図データベース３６の地図データを参照し、要求された現在位置から目的地までの誘導経路を探索し、探索した誘導経路のルートを示すルート情報を生成し、サービス提供制御部３１に応答する。サービス提供制御部３１は、地図データ提供サービス部３３に、誘導経路算出サービス部３２から受け取ったルート情報が示す誘導経路周辺の地図データを抽出させ、抽出された誘導経路周辺の地図データとルート情報とを誘導経路データとして、ナビゲーション装置１に応答する。また、サービス提供制御部３１は、ユーザ管理テーブル３８の誘導経路算出要求の要求元のナビゲーション装置１に対応するエントリに先に受け取った目的地と応答した誘導経路を格納する。
【００３０】
一方、ナビゲーション装置１の主制御部１０５は、無線通信装置１３を介してナビゲーションサービスサーバ３から送られた誘導経路データを、データ更新処理部１０４に地図データメモリ１０１に格納させる。
誘導経路データが地図データメモリ１０１に格納されている場合、ナビゲート画像生成部１０３は、地図データメモリ１０１に格納されている誘導経路データに基づき、図４ａに示すような、地図データメモリ１０１に格納されている地図データが表す地図画像４０１上に、マップマッチング処理部１０２が算出した現在位置を地図上で示す現在位置マーク４０２と、誘導経路を表す誘導経路図形４０３を表示したナビゲート画像を生成し、ＧＵＩ制御部１０６を介して表示装置１５に表示する。
【００３１】
そして、ナビゲーション装置１は、算出した現在位置が目的地近傍に達すると、経路誘導を終了し、地図データメモリ１０１に格納されている誘導経路データを破棄し、経路誘導終了を無線通信装置１３を介して、ナビゲーションサービスサーバ３のサービス提供制御部３１に送信する。これを受けた、ナビゲーションサービスサーバ３のサービス提供制御部３１は、経路誘導終了の送信元のナビゲーション装置１に対応するユーザ管理情報のエントリの目的地と誘導経路を消去する。
【００３２】
以下、ナビゲーションシステムにおける交通渋滞情報提示の動作について説明する。
まず、ナビゲーションサービスサーバ３のＶＩＣＳ情報提供サービス部３５が行う交通情報配信処理について説明する。
図５に、この交通情報配信処理の手順を示す。
図示するようにこの処理では、まず、ＶＩＣＳセンタ５から新たに発生した交通情報を取得する（ステップ５０２）。そして、取得した交通情報が交通渋滞を表す交通渋滞情報でなければ（ステップ５０４）、当該交通情報を、サービス提供制御部３１、ＷＡＮ２を介して、各ナビゲーション装置１に配信する（ステップ５３０）。
【００３３】
一方、取得した交通情報が交通渋滞情報であれば（ステップ５０４）、当該交通渋滞情報について以下の処理を行う。
すなわち、まず、交通渋滞情報が示す渋滞区間の先頭（渋滞区間の先頭車両の位置に相当）が、施設管理情報の渋滞頻発要因フラグにオンが設定されたいずれかのエントリの施設の施設入口位置近傍（たとえば、２０ｍ以内）であるかどうかを当該エントリの施設位置より判定（ステップ５０６）し、そうであれば当該エントリの施設へ向かう車両が渋滞の要因であると判定してステップ５３６において当該エントリの施設を対象施設に設定した上でステップ５２２に進み、そうでなければステップ５０８に進む。そして、ステップ５０８において、渋滞が発生している区間またはその部分が、施設管理情報の渋滞頻発要因フラグにオンが設定されたいずれかのエントリの施設位置を中心とする所定サイズのエリア（たとえば、２ｋｍ四方のエリア）内に含まれているかどうかを判定し、含まれていない場合には、そのままステップ５１０に進み、含まれている場合には、そのエントリの施設位置近傍（たとえば、２００ｍ以内）を目的地としている、当該施設位置を中心とする前記所定サイズのエリア内の車両数がｍ台以上であるかどうかをユーザ管理情報を参照して判定し（ステップ５３４）、ｍ台以上あれば当該エントリの施設へ向かう車両が渋滞の要因であると判定してステップ５３６において当該エントリの施設を対象施設に設定した上でステップ５２２に進み、ｍ台未満である場合には、そのままステップ５１０に進む。
【００３４】
次に、ステップ５１０では、渋滞区間に含まれるリンク上に現在位置がある車両をユーザ管理情報を参照して抽出し、ｎ台以上の車両が抽出されたかどうかを判定する（ステップ５１２）。そして、ｎ台未満の車両しか抽出されなかった場合には、ステップ５３０に進む。一方、ｎ台以上の車両が抽出された場合には、ユーザ管理情報を参照して、抽出した車両の数に対する、抽出した車両の内の渋滞先頭位置近傍を目的地とする車両の台数の割合を算出し、算出した割合がｈ（たとえば、２５％）未満であれば（ステップ５１４）、ステップ５３０に進み、算出した割合がｈ以上であればステップ５１６に進む。
【００３５】
そして、ステップ５１６では、渋滞先頭位置近傍を施設入口位置とする施設を、施設管理テーブルを参照して探索し、そのような施設を探索することができたならば（ステップ５１８）、探索できた施設を対象施設に設定し（ステップ５２０）、ステップ５２２に進む。一方、そのような施設を探索することができなかった場合には、交通渋滞情報である交通情報に渋滞先頭位置の住所を付加し（ステップ５３２）、ステップ５３０に進む。
【００３６】
ただし、ステップ５１４では、ユーザ管理情報を参照して、ステップ５１０で抽出した車両の内の、同じ地点近傍を目的地とする車両の台数の割合を算出し、算出した割合がｈ未満であればステップ５３０に進み、算出した割合がｈ以上であれば、そのｈ以上の割合の車両の目的地を平均して求めた位置を着目位置としてステップ５１６に進むようにし、かつ、ステップ５１６では、着目位置近傍を施設入口位置とする施設を、施設管理テーブルを参照して探索するようにしてもよい。
【００３７】
さて、ステップ５２２では、施設管理情報の対象施設のエントリを参照して、対象施設の施設位置や施設名称などの施設情報を抽出し、抽出した施設情報を、交通渋滞情報である交通情報に付加する。また、施設管理情報の対象施設のエントリの施設付属駐車場情報を取得し（ステップ５２４）、取得した施設付属駐車場情報が、対象施設に複数の駐車場が付属していることを示している場合には（ステップ５２６）、施設付属駐車場情報を駐車場情報として交通渋滞情報である交通情報に付加し（ステップ５２８）、ステップ５３０に進む。一方、対象施設に複数の駐車場が付属していない場合には、そのままステップ５３０に進む。
【００３８】
そして、最後にステップ５３０において、交通情報を、サービス提供制御部３１、ＷＡＮ２を介して、各ナビゲーション装置１に配信する。
次に、各ナビゲーション装置１において、主制御部１０５が行う交通情報提示処理について説明する。
図６に、この交通情報提示処理の手順を示す。
図示するように、この処理では、ナビゲーションサービスサーバ３から、交通情報を無線通信装置１３を介して受信すると（ステップ６０２）、まず、その交通情報が交通渋滞を表す交通情報であるかどうかを調べ（ステップ６０４）、交通渋滞を表す交通情報でなければ、当該交通情報を提示する非交通渋滞情報提示処理を行い（ステップ６３６）、ステップ６０２に戻る。この非交通渋滞情報提示処理では、たとえば、交通情報が、ナビゲート画像に含めて現在表示している地図画像４０１に対応する地理的範囲内における事故の発生や工事中を表すものであれば、当該事故や工事中の箇所に対応する地図画像４０１上の位置に、事故や工事中を表すマークを表示する処理を行う。
【００３９】
一方、交通情報が交通渋滞を表す情報であれば（ステップ６０４）、まず、交通情報が表す渋滞区間の少なくとも一部が、ナビゲート画像に含めて現在表示している地図画像４０１に対応する地理的範囲内に含まれているかどうかを調べ（ステップ６０６）、含まれていない場合には、現在、地図データメモリ１０１に渋滞区間に含まれるリンクを含む誘導経路が設定されているかどうかを調べ（ステップ６３０）、設定されていなければ、そのままステップ６０２に戻る。一方、渋滞区間に含まれるリンクを含む誘導経路が設定されている場合には、図７ａに示すように、ＧＵＩ制御部１０６を介してナビゲート画像上に情報表示ウインドウ４１０を設定し（ステップ６３２）、現在位置から渋滞区間終了位置（渋滞区間の最後尾車両の位置に相当）までの距離を算出して、ＧＵＩ制御部１０６を介して情報表示ウインドウ４１０に表示し（ステップ６３４）、ステップ６１２に進む。
【００４０】
一方、ステップ６０６において、渋滞区間の少なくとも一部が、ナビゲート画像に含めて現在表示している地図画像４０１に対応する地理的範囲内に含まれていると判定された場合には、まず、図４ｂに示すように、ＧＵＩ制御部１０６を介して、地図画像４０１上で渋滞区間を表す渋滞区間図形４０４をナビゲート画像上に描画する（ステップ６０８）。そして、ＧＵＩ制御部１０６を介して描画した渋滞区間図形４０４からの吹き出しの形状を有する情報表示ウインドウ４１０を設定し（ステップ６１０）、ステップ６１２に進む。
【００４１】
次に、ステップ６１２では、交通情報に施設情報が付加されているかどうかを調べ、付加されている場合には、図７ａ、図４ｂに示すように、施設情報が示す施設名称の施設に向かう車両で渋滞が発生している可能性がある旨を情報表示ウインドウ４１０にＧＵＩ制御部１０６を介して表示し（ステップ６３８）、ステップ６１８に進む。一方、交通情報に施設情報ではなく住所が付加されている場合には（ステップ６１４）、その住所に向かう車両で渋滞が発生している可能性がある旨を情報表示ウインドウ４１０にＧＵＩ制御部１０６を介して表示し（ステップ６４０）、ステップ６１８に進む。一方、交通情報に施設情報も住所も付加されていない場合には、渋滞発生の旨のみを、情報表示ウインドウ４１０にＧＵＩ制御部１０６を介して表示し（ステップ６１６）、ステップ６１８に進む。
【００４２】
そして、ステップ６１８では、渋滞区間に含まれるリンクを含む誘導経路が設定されているかどうかを調べ、渋滞区間に含まれるリンクを含む誘導経路が設定されていなければ、情報表示ウインドウ４１０の表示から一定期間の経過をまって情報表示ウインドウ４１０を消去し（ステップ６２８）、ステップ６０２からの処理に戻る。
【００４３】
一方、渋滞区間に含まれるリンクを含む誘導経路が設定されていれば（ステップ６１８）、さらに、交通情報に施設情報または住所が付加されており、かつ、付加された施設情報が示す施設または住所が目的地近傍であるかどうかを調べる（ステップ６２０）。そして、目的地近傍でなければ、図４ｃまたは図７ｂに示すように、渋滞区間を迂回するかどうかの指示を、ボタン４１１を情報表示ウインドウ４１０に表示することにより受け付け（ステップ６２２）、迂回することをボタン４１１によって指示された場合には（ステップ６２４）、情報表示ウインドウ４１０に対応する渋滞区間の迂回を条件とする誘導経路算出要求を、無線通信装置１３を介して、サービス提供制御部３１に発行する（ステップ６２６）。そして、情報表示ウインドウ４１０を消去し（ステップ６２８）、ステップ６０２からの処理に戻る。一方、迂回することをボタン４１１によって指示されなかった場合には、情報表示ウインドウ４１０の表示から一定期間の経過をまって情報表示ウインドウ４１０を消去し（ステップ６２８）、ステップ６０２からの処理に戻る。
【００４４】
ここで、ナビゲーションサービスサーバ３のサービス提供制御部３１はこの誘導経路算出要求を受け取ると、誘導経路算出サービス部３２に、誘導経路算出要求のパラメータとして示される現在位置から目的地までの、誘導経路算出要求によって迂回を条件とされた渋滞区間を経由しない誘導経路の算出を要求することにより、指定された渋滞区間を迂回した誘導経路を求めてユーザ管理情報に設定すると共に、ナビゲーション装置１に応答する。応答を受けたナビゲーション装置１では、前述のように応答された誘導経路データで地図メモリの誘導経路データを更新することにより、誘導経路を更新する。
【００４５】
一方、ステップ６２０において、交通情報に施設情報または住所が付加されており、かつ、付加された施設情報が示す施設または住所が目的地近傍であると判定された場合には、交通情報に駐車場情報が付加されているかどうかを調べ（ステップ６４２）、付加されていない場合には、情報表示ウインドウ４１０の表示から一定期間の経過をまって情報表示ウインドウ４１０を消去し（ステップ６２８）、ステップ６０２からの処理に戻る。駐車場情報が付加されている場合には、図４ｄまたは図７ｃに示すように、目的地とする駐車場を変更することを受け付けるボタン４１２を情報表示ウインドウ４１０に表示し、目的地とする駐車場を変更することをボタンを表示することによって受け付け（ステップ６４４）、目的地とする駐車場を変更することを受け付けたならば（ステップ６４６）、目的地近傍の地図をナビゲーションサービスサーバ３から取得し、取得した地図を表示すると共に、表示した地図上に現在の目的地と駐車場情報によって示される複数の駐車場の位置と渋滞区間を表示し、表示した地図上でいずれかの駐車所を新たな目的地として受け付けることにより、目的地の変更を受け付ける。そして、目的地を指定された駐車場とする誘導経路算出要求を、無線通信装置１３を介して、サービス提供制御部３１に発行する（ステップ６４８）。そして、情報表示ウインドウ４１０を消去し（ステップ６２８）、ステップ６０２からの処理に戻る。一方、目的地とする駐車場を変更することをボタン４１２によって指示されなかった場合には（ステップ６４６）、情報表示ウインドウ４１０の表示から一定期間の経過をまって情報表示ウインドウ４１０を消去し（ステップ６２８）、ステップ６０２からの処理に戻る。
【００４６】
ここで、ナビゲーションサービスサーバ３のサービス提供制御部３１はこの誘導経路算出要求を受け取ると、誘導経路算出サービス部３２に、誘導経路算出要求のパラメータとして示される現在位置から目的地までの誘導経路の算出を要求することにより、指定された渋滞区間を迂回した誘導経路を求めてユーザ管理情報に設定すると共に、ナビゲーション装置１に応答する。応答を受けたナビゲーション装置１では、前述のように応答された誘導経路データで地図メモリの誘導経路データを更新することにより、誘導経路を更新する。
【００４７】
以上、本発明の実施形態について説明した。
ところで、以上の実施形態において、ナビゲーション装置１の主制御部１０５は、さらに以下の処理を行うようにしてもよい。
すなわち、予め設定されたユーザ自宅またはユーザ勤務地などの頻繁立ち寄り地の住所付近にある施設や住所について、渋滞を表す交通情報を所定回数以上または所定頻度以上の頻度で受信した場合には、その施設情報が表す施設や住所が付近の渋滞が生じている区間を、常時注意区間として設定し、その区間を含む交通情報を受信した場合には、無条件にこれを表示するようにする。また、誘導経路算出要求を発行するとき、または、頻繁立ち寄り地を目的とする誘導経路算出要求を発行するときには、常時注意区間の迂回を条件とする誘導経路算出要求を発行するようにする。
【００４８】
ところで、以上の実施形態では、ナビゲーション装置１において、ユーザの渋滞区間の迂回や目的地の変更をボタン４１１、４２２の表示によってユーザに対して促して、ユーザからそのような指示があった場合に、指示に応じて誘導経路の変更を行うようにしたが、これはユーザからの指示を受けることなく、自動的に、渋滞区間を迂回したり目的地を現在目的地となっている駐車場以外の他の駐車場とする誘導経路の変更を行うようにしてもよい。すなわち、たとえば、図６の交通情報提示処理において、ステップ６４２の判定が真の場合には、そのままステップ６４８に進むようにしたり、ステップ６２２の判定が偽の場合には、そのままステップ６２６に進むようにしてもよい。また、以上の目的地を現在の目的地である駐車場と異なる駐車場に自動的変更する場合には、ナビゲーションサービスサーバ３から受信した交通情報が示す駐車場の空き状態などを考慮して新たな目的地とする駐車場を選定することが好ましい。
また、このような誘導経路の変更は、ナビゲーションサービスサーバ３側において、各ナビゲーション装置１の状態を判定し、渋滞区間と誘導経路に重複している部分のある車両のうち、渋滞施設要因となっている施設を目的地としていない車両については、渋滞区間を迂回する誘導経路を、滞施設要因となっている施設を目的地としている車両については、当該施設の現在の目的地と異なる駐車場を目的地とする誘導経路を自動的に探索し、探索した誘導経路をナビゲーション装置１に送信して設定するようにしてもよい。また、同様に、以上の目的地を現在の目的地である駐車場と異なる駐車場に自動的変更する場合には、ＶＩＣＳセンタ５から取得した交通情報が示す駐車場の空き状態などを考慮して新たな目的地とする駐車場を選定することが好ましい。
【００４９】
また、以上の実施形態では、ナビゲーションサービスサーバ３において、各ナビゲーション装置１の誘導経路を探索する場合について説明したが、本実施形態のナビゲーションサービスサーバ３における渋滞の要因となっている施設の推定と、各ナビゲーション装置１のユーザへの提示の技術は、各ナビゲーション装置１において個々に自身の誘導経路を探索する場合でも、各ナビゲーション装置１からナビゲーションサービスサーバ３に現在位置と目的地、または、さらに誘導経路を通知するようにすることにより同様に適用可能である。
【図面の簡単な説明】
【００５０】
【図１】本発明の実施形態に係るナビゲーションシステムの構成を示すブロック図である。
【図２】本発明の実施形態に係るナビゲーション装置の構成を示すブロック図である。
【図３】本発明の実施形態において用いるユーザ管理情報と施設管理情報の内容を示す図である。
【図４】本発明の実施形態に係るナビゲーション装置の表示画面例を示す図である。
【図５】本発明の実施形態に係るナビゲーションサービスサーバの交通情報配信処理を示すフローチャートである。
【図６】本発明の実施形態に係るナビゲーション装置の交通情報提示処理を示すフローチャートである。
【図７】本発明の実施形態に係るナビゲーション装置の表示画面例を示す図である。
【符号の説明】
【００５１】
１…ナビゲーション装置、２…ＷＡＮ、３…ナビゲーションサービスサーバ、４…ＶＩＣＳ網、５…ＶＩＣＳセンタ、１０…制御装置、１１…走行状態センサ、１２…ＧＰＳ受信機、１３…無線通信装置、１４…リモコン、１５…表示装置、３１…サービス提供制御部、３２…誘導経路算出サービス部、３３…地図データ提供サービス部、３４…目的地設定サービス部、３５…ＶＩＣＳ情報提供サービス部、３６…地図データベース、３７…施設管理データベース、３８…ユーザ管理テーブル、１０１…地図データメモリ、１０２…マップマッチング処理部、１０３…ナビゲート画像生成部、１０４…データ更新処理部、１０５…主制御部、１０６…ＧＵＩ制御部、１０７…メモリ、１０８…無線通信インタフェース。
【図１】
2005156388.tif 000003
【図２】
2005156388.tif 000004
【図３】
2005156388.tif 000005
【図４】
2005156388.tif 000006
【図５】
2005156388.tif 000007
【図６】
2005156388.tif 000008
【図７】
2005156388.tif 000009